(57)【要約】  本発明は、一対の対向側壁と一対の対向端壁により境界が定められており、少なくとも一対の対向側壁または少なくとも一対の対向端壁が、硬化要素と、少なくとも一対の側壁または少なくとも一対の端壁の各対向側壁および各対向端壁の中心領域の折畳みを可能にするヒンジ部材を受容するための手段とを組み込んでいる可撓性の折畳み可能な材料から形成されている区画を含む、折畳み式障壁構造体に関する。また、互いに端部と端部で接続されているか、取り付けられているか、または接着されている非常に多数のそのような区画と、障壁の少なくとも一方の側面に沿って個々の構造体を横断して延在している不透水性材料の連続長が設けられている第１の多区画折畳み式障壁構造体；障壁の少なくとも一方の側面に沿って個々の構造体を横断して延在している不透水性材料の連続長が設けられている第２の多区画折畳み式障壁構造体；第１の多区画折畳み式障壁構造体を第２の多区画折畳み式障壁構造体に締結する締結手段を含む洪水防止障壁とを含む、多区画折畳み式障壁構造体が提供される。
2016529427.tif 000002
【特許請求の範囲】
【請求項１】
一対の対向側壁と一対の対向端壁とにより境界が定められている区画を含む折畳み式障壁構造体であって、少なくとも一対の対向側壁または少なくとも一対の対向端壁は、硬化要素と、前記少なくとも一対の側壁または前記少なくとも一対の端壁の各対向側壁または各対向端壁の中心領域の折畳みを可能にするヒンジ部材を受容するための手段とを組み込んでいる、可撓性の折畳み可能な材料から形成されている、折畳み式障壁構造体。
【請求項２】
前記少なくとも一対の側壁または前記少なくとも一対の端壁の各対向側壁または各対向端壁は、その第１の端部からその第２の端部まで延在している幅を有し、その中心領域は、前記壁の中心から前記壁の前記第１の端部および前記第２の端部の各々の方へ等距離に延在しており、前記中心領域は、前記壁の前記幅の最大９０％、８０％、７０％、６０％、５０％、４０％、３０％、２０％、１０％または５％の幅を有する、請求項１に記載の折畳み式障壁構造体。
【請求項３】
前記硬化要素は、
ａ）前記硬化要素を前記可撓性材料に接着すること、
ｂ）前記硬化要素の前記中心領域の範囲内にかつ前記壁の最上部および底部から実質的に離して設けられている取付け手段により、前記硬化要素を前記可撓性材料に取り付けること、
ｃ）前記硬化要素を前記可撓性材料で覆うこと、および／または
ｄ）前記可撓性材料内に前記硬化要素の少なくとも主要部を封入すること、
の１つまたは複数から選択された手段により、前記可撓性材料と組み合わせられており、
随意に、前記硬化要素の前記可撓性材料との前記組合せは、前記硬化要素が前記可撓性材料内にまたはその上に埋め込まれるというようなものである、
請求項１または２に記載の折畳み式障壁構造体。
【請求項４】
前記硬化要素は、
ａ）金属メッシュ形状の材料でなく、
ｂ）金属材料でなく、かつ／または
ｃ）プラスチック材料である
請求項１から３のいずれか一項に記載の折畳み式障壁構造体。
【請求項５】
前記硬化要素は、
ａ）前記可撓性材料とは異なる、または
ｂ）前記可撓性材料と同じであり、前記可撓性材料の厚さより実質的に厚い厚さを有する
材料から製造される、請求項１から４のいずれか一項に記載の折畳み式障壁構造体。
【請求項６】
前記硬化要素は少なくとも第１の部分および第２の部分の形で設けられており、ヒンジ部材を受容する前記手段は前記第１の部分と前記第２の部分との間に設けられており、随意に、ヒンジ部材を受容する前記手段は、前記第１の部分と前記第２の部分との間の領域内に前記可撓性の折畳み可能な材料により設けられているか、または前記領域の上にもしくは下に延在している、請求項１から５のいずれか一項に記載の折畳み式障壁構造体。
【請求項７】
前記硬化要素は１つまたは複数のパネルを含み、随意に、前記１つまたは複数のパネルは１つまたは複数の閉じたパネルを含む、請求項１から６のいずれか一項に記載の折畳み式障壁構造体。
【請求項８】
前記区画は、可撓性の折畳み可能な材料から形成されているベース壁を有し、かつ／または
前記可撓性の折畳み可能な部材はポリプロピレンを含み、かつ／もしくは
前記硬化要素はＣｏｒｒｅｘを含み、かつ／もしくは
それは自立性であり、かつ／もしくは
前記区画の前記最上部を少なくとも部分的に覆って延在している蓋部をさらに含む、
請求項１から７のいずれか一項に記載の折畳み式障壁構造体。
【請求項９】
互いに端部と端部で接続されているか、取り付けられているか、または接着されている、請求項１から８のいずれか一項による複数の区画を含む、多区画折畳み式障壁構造体。
【請求項１０】
アコーディオン様の方法で折り畳まり、かつ／または
前記個々の区画のいくつかまたは全てが、砂、土、土壌、石、岩、瓦礫、コンクリート、破片、およびそれらの２つ以上の組合せから選択されてもよい充填材を含み、かつ／もしくは
充填材が隣接した個々の区画間に落下しないようにする手段をさらに含み、該手段は区画間に延在しておりかつ他方の個々の区画に隣接した前記側壁の各々の前記内面に締結されている材料を含んでいてもよく、かつ／もしくは
前記個々の区画のいくつかまたは全てが開放可能な基部を含み、かつ／もしくは
前記個々の区画のいくつかまたは全てが持上げ手段を含む、
請求項９に記載の多区画折畳み式障壁構造体。
【請求項１１】
ａ．前記障壁の少なくとも一方の側面に沿って前記個々の構造体を横断して延在している不透水性材料の連続長が設けられている、請求項９または１０のいずれか一項に記載の第１の多区画折畳み式障壁構造体と、
ｂ．前記障壁の少なくとも一方の側面に沿って前記個々の構造体を横断して延在している不透水性材料の連続長が設けられている、請求項９または１０のいずれか一項に記載の第２の多区画折畳み式障壁構造体と、
ｃ．前記第１の多区画折畳み式障壁構造体を前記第２の多区画折畳み式障壁構造体に締結する締結手段と
を含む、洪水防止障壁。
【請求項１２】
第１の解除不可能な締結手段により接続されている第１の多区画折畳み式障壁構造体を含み、前記多区画折畳み式障壁構造体は、前記第１の多区画折畳み式障壁構造体を第２の多区画折畳み式障壁構造体に解除可能に締結するのに有効な少なくとも１つの第２の解除可能な締結手段を含み、かつ／あるいは
前記不透水性側面に対する前記多区画折畳み式障壁構造体の反対側側面は不透水性であり、かつ／または
前記材料は、それが前記第１の多区画折畳み式障壁構造体を第２の多区画折畳み式障壁構造体に締結する前記締結手段を覆うことができるように、前記多区画折畳み式障壁構造体の前記側面を越えて延在し、かつ／または
前記材料は前記第１の多区画折畳み式障壁構造体を第２の多区画折畳み式障壁構造体に締結する前記締結手段を含み、かつ／または
前記材料は前記多区画折畳み式障壁構造体の真下に延在しており、かつ／または
前記第１の多区画折畳み式障壁構造体を前記第２の多区画折畳み式障壁構造体に締結する前記締結手段は、ジッパおよび／もしくはバックルを含む、
請求項１１に記載の洪水防止障壁。
【請求項１３】
前記多区画折畳み式障壁構造体の少なくとも一方の側面の最上部から底部までの距離の少なくとも一部に延在している圧縮性部材をさらに含み、かつ／または前記多区画折畳み式障壁構造体の少なくとも一方の側面の基部に沿った前記距離の少なくとも一部に延在している圧縮性部材を含み、随意に、
前記圧縮性部材は発泡体を含み、かつ／もしくは
前記圧縮性部材は弾性的に圧縮性であり、かつ／もしくは
多区画折畳み式障壁構造体の一方の側面に沿って前記距離の少なくとも一部に延在している圧縮性部材が、前記第１の多区画折畳み式障壁構造体を前記第２の多区画折畳み式障壁構造体に締結する固定手段により前記２つが取り付けられた場合、１つまたは複数の個々の区画の別のグループの隣接した側面に沿って前記距離の少なくとも一部に延在している圧縮性部材からずらされている、
請求項１１または１２のいずれか一項に記載の洪水防止障壁。
【請求項１４】
前記個々の区画の少なくとも１つの前記最上部を少なくとも部分的に覆って延在している蓋部をさらに含み、随意に、前記蓋部は、前記障壁の前記最上部を少なくとも部分的に覆って前記障壁の前記側面から延在している前記不透水性材料により少なくとも部分的に形成される、請求項１１から１３のいずれか一項に記載の洪水防止障壁。
【請求項１５】
ａ）軍および民間の防備、
ｂ）人体保護、または
ｃ）洪水防止もしくは環境防衛
のための、請求項１から１０のいずれか一項に記載の前記折畳み式障壁構造体の使用。
【発明の詳細な説明】
【技術分野】
【０００１】
本発明は折畳み式障壁構造体に関し、詳細には、迅速に容易に配備され得る、自立性である、かつ汚染された充填材料を後に残すことなく配備現場から除去され得るものに関する。
【背景技術】
【０００２】
産業界では、材料、例えば砂、砂利等、を保存し、運搬するために、コラプシブルバッグが長く使用されてきた。これらコラプシブルバッグは、可撓性材料、例えば良好な引裂き抵抗、透湿性などの利点があるポリプロピレンまたはポリエチレンの織物から形成されることが多く、かつ軽量で、再使用可能である。しかし、従来のコラプシブルバッグには、それらに関連した多数の問題がある。特に、それらは材料で満たされるまで自立性でない。この場合、コラプシブルバッグは、材料で満たされている間、機械類または人力を用いて、直立して開いて保持されなければならず、したがってコラプシブルバッグを充填するプロセスを難しく、時間のかかるものにする。
【０００３】
また、複数の接続されたコラプシブルバッグを使用して、障壁、例えば洪水防止障壁、を形成することが知られている。しかし、構造体内の各個々のバッグは、充填されている間、直立して開いて保持されなければならないので、前段で要点が述べられているようなコラプシブルバッグに関連する問題は、より大きな構造体すなわち障壁では増加する。
【０００４】
洪水は、世界各地で深刻化している問題である。それには、一般的に、障壁を立てて、上昇する水位をある領域の外に保つことにより対処している。特に洪水が起こる直前は気象条件が悪いことが多いので、そのような障壁は、一般に、迅速に容易に立てられなければならない。さらに、洪水の事前の警告は殆どないかまたは全くないことが多いので、障壁が配備される現場で容易に入手可能な材料を使用し得ることが有益であると考えられる。
【０００５】
よく使用される洪水障壁には、土または砂で満たされたバッグが含まれ、該バッグは、次いで、ポリエチレンなどの不透水性材料で包まれる。このプロセスは時間がかかり、強固な十分に不透水性の障壁をもたらすことが保証され得ない。バッグ間に、特にそれらの基部に小間隙が生じることはよくあることである。次いで、水がこれらの間隙を通過し、漏れをもたらす可能性がある。障壁を通過する水量は洪水の力に左右されるが、それは相当である可能性がある。また、水の力は障壁の真下の地面に水路を作り出す可能性があり、それにより、障壁を通過し得る水量を増大させる可能性がある。
【０００６】
洪水が治まると、バッグを充填するために使用された材料の処分もまた問題となる。充填材は、一般に、洪水中に存在する汚物などの物質で汚染されており、それは洪水の間にバッグ内に染み込む。残念ながら、単にバッグを切り開いて汚染された充填材を除去することにより障壁を除去することが一般的な慣行であり、該充填材は、一般に、現場に残される。この慣行は、周辺地域の環境および安全の両方に影響を与える。
【０００７】
欧州特許第１７３１６７８号明細書が、複数の個々の区画を含む洪水障壁を開示している。これらの区画は、隣接した個々の区画の隣接した側壁間に延在する、ねじ、釘、クランプ等により取り付けられている。複数の個々の区画が接続されてユニットを形成することができ、２つのユニット同士は、各ユニット内の個々の区画が接続されているのと同じ方法で、すなわちねじ、釘、クランプ等を使用して、取り付けられることが可能である。
［先行技術文献］
［特許文献］
［特許文献１］欧州特許第１７３１６７８号明細書
【発明の概要】
【発明が解決しようとする課題】
【０００８】
これによりいくつかの改善がもたらされるが、依然として、漏れ抵抗が向上した、現場からの汚染された充填材の除去を可能にする、手早く簡単に立てられる洪水障壁が必要である。
【課題を解決するための手段】
【０００９】
本発明の第１の態様が、一対の対向側壁と一対の対向端壁とにより境界が定められている区画を含む折畳み式障壁構造体を提供し、少なくとも一対の対向側壁または少なくとも一対の対向端壁は、硬化要素と、少なくとも一対の側壁または少なくとも一対の端壁の各対向側壁または各対向端壁の中心領域の折畳みを可能にするヒンジ部材を受容するための手段とを組み込んでいる、可撓性の折畳み可能な材料から形成されている。
【００１０】
折畳みに対する抵抗は、ヒンジ部材を受容するための手段を組み込んでいる可撓性材料にのみ存在するので、可撓性の折畳み可能な材料と組み合わせた硬化部材の使用は、小体積に容易に圧縮され得る構造体をもたらす。但し、当該構造体は、硬化材料の結果として立てられていたら、自立性である可能性がある。さらに、構造体は重すぎず、また、比較的安価で作製され得る。
【００１１】
「自立性」は、構造体が材料で満たされる前に直立して開いて立つことができることを意味する。したがって、構造体は、充填前に、必ずしも手作業で直立して開いて保持されなくてよい。
【００１２】
ヒンジ部材を受容するための手段は、硬化要素の不連続性を含んでいてもよい。この不連続性は、硬化要素の薄い領域、または硬化要素が少なくとも２つの部分を含むように、硬化要素の中断であってもよい。
【００１３】
折畳み式障壁構造体の少なくとも一対の側壁または少なくとも一対の端壁の各対向側壁または各対向端壁は、その第１の端部からその第２の端部まで延びる幅を有していてもよく、その中心領域は、壁の中心から壁の第１の端部および第２の端部の各々の方へ等距離に延在しており、壁の幅の最大９０％、８０％、７０％、６０％、５０％、４０％、３０％、２０％、１０％または５％の幅を有する。「幅」は、側壁が一方の端壁にぶつかる点と側壁が他方の端壁にぶつかる点との間の距離、または端壁が一方の側壁にぶつかる点と端壁が他方の側壁にぶつかる点との間の距離を意味する。
【００１４】
壁の中心領域がヒンジ部材を受容するための手段を含むので、これにより、構造体が容易に折り畳まれることが可能になる。さらに、壁の中心領域は構造体が折り畳まるのに十分な幅を有さなければならないので、これにより、構造体が小体積を達成することが可能になる。
【００１５】
硬化要素は、
ａ）硬化要素を可撓性材料に接着すること、
ｂ）硬化要素の中心領域の範囲内にかつ壁の最上部および底部から実質的に離して設けられている取付け手段により、硬化要素を可撓性材料に取り付けること、
ｃ）硬化要素を可撓性材料で覆うこと、および／または
ｄ）可撓性材料内に硬化要素の少なくとも主要部を封入すること、
の１つまたは複数から選択された手段により、可撓性材料と組み合わせられてもよい。
【００１６】
そのような手段は、硬化手段が可撓性材料から容易に分離することができず、ならびに比較的安く、製造し易いことを確実にする。
【００１７】
硬化要素の可撓性材料との組合せは、硬化要素が可撓性材料内に埋め込まれるかまたはその上にあるようであってもよい。これは、硬化要素が中に配置される、可撓性材料内に形成されたポケットによってでもよい。ポケットは、区画の各壁すなわち側壁または端壁内にさらなる壁をステッチングすることにより形成されてもよい。硬化部材はポケットと補完的形状であってもよく、例えば、硬化部材は略正方形状または略長方形状であってもよい。ポケット内に位置決めされている硬化部材を有することの１つの利点が、硬化部材が、追加固定手段、例えばねじ、釘および／またはクランプ、を必要とすることなく、コラプシブルバッグの内部の正しい位置に保持されることである。
【００１８】
硬化要素は以下の通りであってもよい：
ａ）金属メッシュ形状の材料でなく；
ｂ）金属材料でなく；かつ／または
ｃ）プラスチック材料である。
【００１９】
そのような材料は安価で、軽量で、入手し易く、かつ必要な剛性を実現する。
【００２０】
硬化要素は、
ａ）可撓性材料とは異なる、または
ｂ）可撓性材料と同じであり、可撓性材料の厚さより実質的に厚い厚さを有する
材料から製造されてもよい。
【００２１】
硬化要素を作り出すのに使用される材料は、構造体の要件に基づいて選択されるべきである。可撓性材料とは異なる材料が、可撓性材料と同じ材料を使用するより薄い硬化要素をもたらす可能性があるので、構造体はより小さい体積に圧縮される可能性がある。しかし、そのような硬化要素は、同じ材料から作製される硬化要素より高価である可能性がある。
【００２２】
硬化要素は少なくとも第１の部分および第２の部分の形で設けられてもよく、ヒンジ部材を受容するための手段は、前記第１の部分と第２の部分との間に設けられる。
【００２３】
硬化要素の２つの部分が、ヒンジ部材を受容するための手段を中心として互いに対して移動することができるので、これにより、構造体を折り畳むために容易に折り畳まれることが可能である剛性壁がもたらされる。
【００２４】
ヒンジ部材を受容するための手段は、前記第１の部分と第２の部分との間に、または前記領域の上方もしくは下方に延在する領域内に、可撓性の折畳み可能な材料により設けられてもよい。追加部品が必要とされないので、これは、ヒンジ部材を受容するための手段を設ける、安価で、製造し易く、かつ耐久性のある方法である。
【００２５】
一実施形態では、ヒンジ部材を受容するための手段が壁の中心領域を含み、この領域の両側に第１の部分および第２の部分を有する。この領域では、可撓性の折畳み可能な部材の２つの層が接合され得る。該接合部は、壁の最上部から底部まで続いているステッチングされた継ぎ目の形であってもよい。これにより、接合部の両側に２つのポケットが作り出されると考えられ、硬化要素の第１の部分と第２の部分とがその中に挿入されてもよい。このようにして、壁は、硬化要素の２つの部分により硬化されるが、２つの間に続いている接合部は、必要に応じて構造体が折り畳まれることを可能にする、ヒンジ部材を受容するための手段をもたらす。
【００２６】
別の実施形態では、壁は、ヒンジ部材を受容するための手段として前段で検討されている接合部を含む。しかし、一対の対向壁が、硬化要素の２つの部分、第１の壁上にある１つおよび第２の壁上にある１つ、を含むだけである。２つの部分は互いに斜向かいにあるべきである（すなわち、継ぎ目の両側にあるべきである）。これにより、体積の減少した配備前の構造に折り畳まれるかまたは丸められることが可能であり、それにより運搬コストを低減する、自立性であるために十分な剛性を備えた、軽量で安価な装置がもたらされる。
【００２７】
硬化部材が、側壁の両方および端壁の一方もしくは両方に、または端壁の両方および側壁の１つもしくは複数に、位置決めされてもよい。端壁および側壁は、同じ材料または異なる材料から形成されていてもよい。
【００２８】
硬化要素は１つまたは複数のパネルを含んでいてもよい。随意に、１つまたは複数のパネルは１つまたは複数の閉じたパネル（ｃｌｏｓｅｄ  ｐａｎｅｌ）を含んでいてもよい。そのようなパネルは安価で、軽量で、容易に入手可能である。
【００２９】
構造体は、可撓性の折畳み可能な材料から形成されているベース壁（ｂａｓｅ  ｗａｌｌ）を有していてもよい。これは、構造体内に配置された充填材がベース壁を重みで押し下げると、構造体の安定性を向上させるように作用し、それにより、全体的に構造体の安定性を向上させる。可撓性の折畳み可能な材料から形成されているベース壁を有することにより、構造体の基部が、それが配置される表面の形状にその形状を適合させることが可能になる。
【００３０】
本発明の別の態様が、互いに端部と端部で接続されているか、取り付けられているか、または接着されている、前段で検討されているような複数の区画を含む、多区画折畳み式障壁構造体を提供する。そのような障壁は、迅速に容易に配備され、かつ軽量で、製造コストが安い。
【００３１】
多区画折畳み式障壁構造体はアコーディオン様の方法で折り畳まってもよい。これにより、障壁が配備されていない時にそれが小体積に圧縮されることが可能になり、それにより、意図された配備現場への障壁の運搬がより容易になる。
【００３２】
個々の区画のいくつかまたは全てが充填材を含有することができる。個々の区画の全てが充填材を含有することが好ましい。充填材は、砂、土、土壌、石、岩、瓦礫、コンクリート、破片、およびそれらの２つ以上の組合せから選択されてもよい。この充填材は、障壁に安定性をもたらし、配備現場の周辺に自然に見られる材料であることが好ましい。
【００３３】
充填材が隣接した個々の区画間に落下しないようにする手段が存在してもよい。これは、充填材が区画に導入されている時、特に充填材が砂などの微細物質である場合、特に重要である。この手段には、区画間に延在しかつ他方の個々の区画に隣接した側壁の各々の内面に締結される材料が含まれてもよい。該材料は、例えばステープルまたはステッチにより締結されてもよい。随意に、該手段は、他方の個々の区画に隣接した側壁の一方の内面に取り付けられていてもよく、その後、他方の側壁に取り付けられることが可能である。
【００３４】
個々の区画のいくつかまたは全てが開放可能な基部を含んでいてもよい。これにより、障壁が解体されると、充填材が個々の区画から容易に解放されることが可能になる。基部は、そのような開放可能な特徴が使用されるまで閉じられたままであることが好ましく、その結果、充填材を含む区画は配備現場から除去されることが可能である。充填材は、次いで、適切である場合に解放されることが可能である。しかし、基部は、障壁構造体の真下を水などの物質が通過する可能性を最小限にするために、平坦かつ／または滑らかであることが好ましい。任意の適切な手段が使用されて、開放可能な基部が開くのを可能にしてもよい。一装置では、開放可能な基部は、解除されて開口部が開くことを可能にし得るトグル機構等により閉じられた状態のままである開口部を含んでいてもよい。
【００３５】
さらに、個々の区画のいくつかまたは全てが持上げ手段を含んでいてもよい。そのような持上げ手段には、個々の区画の最上縁部上のハンドルが含まれてもよい。持上げ手段は、障壁の解体時に個々の区画が障壁から除去されるのを助ける。例えば１つ、２つ、３つ、４つ等、任意の数のハンドルが使用されていてもよい。一装置では、ハンドルがコラプシブルバッグの最上縁部の４つの角の各々に位置決めされている。持上げ手段は、特にコラプシブルバッグが充填された場合に、その運搬を補助してもよい。
【００３６】
個々の区画がバッグであることが好ましい。各個々の区画は側壁と基部とを含むことが好ましい。個々の区画は互いにぴったり付くように設計されていることが好ましいので、例えば立方形であってもよい。コラプシブルバッグは任意の適切な大きさであってもよい。バッグの大きさは、バッグがそのままでまたは他の類似したバッグに関連して使用されて、洪水防止目的または軍事もしくは安全の目的で効果的な障壁をもたらし得るようであることが好ましい。例えば、バッグは、少なくとも５０ｃｍ、７５ｃｍ、もしくは１００ｃｍの高さを有していてもよく、バッグは少なくとも５０ｃｍ、７５ｃｍ、もしくは１００ｃｍの幅を有していてもよく、かつ／またはバッグは少なくとも５０ｃｍ、７５ｃｍ、もしくは１００ｃｍの深さを有していてもよい。コラプシブルバッグが立方形状である場合、例えば、それは１００ｃｍ×１００ｃｍ×１００ｃｍの寸法を有していてもよい。
【００３７】
本発明の構造体は自立性であることが好ましい。したがって、構造体は、充填材が挿入される前に直立することができる。このことを達成するために、個々の区画のいくつかまたは全てが硬化要素を含み、剛性を実現するかまたは高める。硬化要素は個々の区画の全側面上に存在していてもよい。硬化要素は任意の適切な材料であってもよく、ジオグリッド、木、および／またはポリプロピレンの１つもしくは複数を含んでいてもよい。「ジオグリッド」とは、草または土壌の補強のために慣例的に使用される材料を意味する。硬化部材はプラスチック、例えばポリプロピレンまたはポリエチレン、から形成されることが好ましい。一実施形態では、硬化部材は、波形ポリプロピレンシート、例えばＡｌｌｉｇａｔａ（登録商標）により製造されるＣｏｒｒｅｘ（登録商標）、から形成される。
【００３８】
この硬化要素は１つまたは複数パネルとして挿入され得る。パネルは、個々の区画の側壁の内面に当接して配置されてもよいか、または個々の区画の側壁内に形成されているポケット内に挿入されてもよい。ポケットは、次いで、閉鎖され、パネルを封じ込めることができる。側壁がそれらの長さに沿った点で折り畳まることができるように、２つの隣接したパネルは２つの対向側壁の各々において使用されてもよい。これにより、障壁が充填されていない時にぺしゃんこになることが可能になる。さらにまたはあるいは、別の個々の区画に隣接した側壁は１つのパネルを含んでいてもよく、一方、垂直な側壁が折り畳まって障壁が圧縮されることを可能にするように、別の個々の区画に対して垂直な側壁は２つのパネルを含んでいてもよい。パネルは側壁の全長に沿って延在していない可能性があり、それにより壁が折り畳まることが可能になり、それにより障壁が圧縮されることを可能にする。
【００３９】
壁は、バッグが配備前の構造に潰される、例えば折り畳まれるかまたは丸められる、ことを可能にするのに十分な可撓性を有する任意の適切な材料から形成されていてもよい。壁材の所望の特性には、単独でまたは組み合わせて、可撓性、耐久性、強靱性、引裂き抵抗、耐擦過性および耐侵食性、耐腐食性、熱的安定性、紫外線安定性、低密度、低コスト、およびリサイクル性が含まれる。適切な壁材の例には、例えばポリプロピレンおよびポリエチレンなどのプラスチック、生体高分子材料、ならびにそれらの１つまたは複数の組合せが含まれる。プラスチックは編まれて織物を形成していてもよく、または薄膜状であってもよい。
【００４０】
ある状況では、プラスチック材料に着色充填材を添加して、所望の美的効果を実現することが望ましいことがある。そのような染料はプラスチック材料と一体化されている、すなわちそれらは表面装飾ではないので、それらは侵食による除去の影響を受けにくい。
【００４１】
壁材を可能な限り薄く作製して、それが配備前の構造に潰された場合、例えば保管または運搬中、のバッグの体積を減少させることが望ましい可能性がある。薄い壁材を使用することの大きな利点は、運搬コストを低減する、重量および体積の節減である。
【００４２】
多区画折畳み式障壁構造体は任意の数の個々の区画を含んでいてもよい。その数は、２と１５の間のであることが好ましく、５と１２の間であることがより好ましく、１０であることがさらにより好ましい。
【００４３】
多区画折畳み式障壁構造体は、一区画の深さである個々の区画の列を形成するために並べられていてもよい。この配置は、以下に「線形配置」と呼ばれる。
【００４４】
コラプシブルバッグは、締結手段、例えば釘、ねじ、クランプ、ステープル、またはステッチ、を使用して、接続されるかまたは取り付けられてもよい。コラプシブルバッグは、２つのコラプシブルバッグの隣接した壁同士をステープリングすることにより、接続されるかまたは取り付けられることが好ましい。
【００４５】
代替的締結手段には、各複数の個々の区画上に例えばプラスチックまたは金属で作製されたアイレットが含まれ、該アイレットは、次いで、ケーブルタイなどの手段により接続される。ケーブルタイは例えば金属またはプラスチックで作製されていてもよく、解除可能または解除不可能であってもよい。あるいは、不透水性ジッパ（例えば、ＭａｘｉＧｒｉｐ  ＭＸ  ２０）、ベルクロ（Ｖｅｌｃｒｏ）（登録商標）、またはＣリング（次いで円形に変形され、それにより２つの区画を接続する、Ｃ形金属ステープル）などの他の手段が使用され得る。任意の数のそのような締結手段が各接合部で使用されて、２つの個々の区画を一緒に接続してもよい。アイレットおよびケーブルタイ、またはＣリングが使用されている場合、２つの個々の区画間の各接合部に沿って等間隔に置かれた４つの締結手段が存在することが好ましい。換言すれば、各個々の区画間にある障壁の前面に４つの締結手段および各個々の区画間にある障壁の後面に４つの締結手段が存在する。
【００４６】
本発明のさらなる態様が、洪水防止障壁であって、
ａ．共に接続されておりかつ障壁の少なくとも１つの側面に沿って個々の区画を横断して延在している不透水性材料の連続長が設けられている、第１の多区画折畳み式障壁構造体と、
ｂ．共に接続されておりかつ障壁の少なくとも１つの側面に沿って個々の区画を横断して延在している不透水性材料の連続長が設けられている、第２の多区画折畳み式障壁構造体と、
ｃ．第１の多区画折畳み式障壁構造体を第２の多区画折畳み式障壁構造体に締結する締結手段と
を含む、洪水防止障壁を提供する。
【００４７】
締結手段は、各複数の個々の区画上に例えばプラスチックまたは金属で作製されたアイレットなどの任意の適切な締結手段を含んでいてもよく、該任意の適切な締結手段は、次いで、ケーブルタイなどの手段により接続される。ケーブルタイは例えば金属またはプラスチックで作製されていてもよく、解除可能または解除不可能であってもよい。あるいは、不透水性ジッパ（例えば、ＭａｘｉＧｒｉｐ  ＭＸ  ２０）、Ｖｅｌｃｒｏ（商標）、またはＣリング（次いで円形に変形され、それにより２つの区画を接続する、Ｃ形金属ステープル）などの他の手段が使用され得る。任意の数のそのような締結手段は、各接合部で使用されて、２つの個々の区画を接続してもよい。
【００４８】
また、各複数の個々の区画は、前述のものなどの締結手段により接続されてもよい。やはり、任意の数のそのような締結手段は、各接合部で使用されて、２つの個々の区画を一緒に接続してもよい。アイレットおよびケーブルタイ、またはＣリングが使用されている場合、２つの個々の区画間の各接合部に沿って等間隔に置かれた４つの締結手段が存在することが好ましい。換言すれば、各個々の区画間にある障壁の前面に４つの締結手段および各個々の区画間にある障壁の後面に４つの締結手段が存在する。
【００４９】
また、本発明は、第１の解除不可能な締結手段により接続されている第１の多区画折畳み式障壁構造体であり、第１の多区画折畳み式障壁構造体を第２の多区画折畳み式障壁構造体に解除可能に締結するのに有効な少なくとも１つの第２の解除可能な締結手段を含む第１の多区画折畳み式障壁構造体を含む、洪水防止障壁を提供する。
【００５０】
「解除可能」とは、締結手段が前記取外し後に再締結され得るように、該手段を破壊することなく、該手段が取り外されることが可能であることを意味する。対照的に、解除不可能な締結手段は、該手段の破壊または障壁からのそれらの除去のどちらかにより取り外されることができるだけであり、その結果、それらはその後再締結されることが不可能である。一実施形態では、第１の解除不可能な締結手段は、不透水性であり得る材料の連続長を含む。
【００５１】
本明細書に用いられている「締結手段」への言及は、第１の多区画折畳み式障壁構造体を第２の多区画折畳み式障壁構造体に締結する締結手段を指す。締結手段は、多区画折畳み式障壁構造体の区画の少なくとも１つに設けられていてもよいことが好ましい。締結手段が設けられている少なくとも１つの区画は、端部区画であってもよい。さらにまたはあるいは、第２の多区画折畳み式障壁構造体の補完的締結手段は端部区画上にあってもよい。締結手段は、追加機器を必要とせずに、締結され、随意にまた取り外されることが可能であることが好ましい。
【００５２】
本発明の個々の区画は内蔵ユニットであってもよく、該内蔵ユニットは解除不可能な締結手段により接続されており、該解除不可能な締結手段は、障壁の少なくとも一方の側面に沿って個々の区画を横断して延在している不透水性材料の連続長であってもよい。各個々の区画の少なくとも一部が不透水性材料を含んでいてもよい。本明細書に用いられている用語「別の個々の区画に隣接した側壁」は、互いに直面する隣接した個々の区画の隣接した側壁を指す。
【００５３】
不透水性材料は、プラスチック、例えばポリプロピレンまたはポリエチレン、から形成されていてもよい。
【００５４】
前段で検討されている線形配置では、多区画折畳み式障壁構造体は、個々の区画の全ての長さに沿って延在している２つの長い側面と、単一区画の深さに等しい２つの短い側面とを有する。本実施形態では、不透水性材料の連続長が長い側面の少なくとも一方に沿って延在していてもよい。多区画折畳み式障壁構造体を第２の多区画折畳み式障壁構造体に締結する締結手段は、長い側面の一端または両端にあることが好ましく、長い側面上にかつ／または短い側面上に配置されていてもよい。
【００５５】
洪水防止障壁は、その側面の一方の全体に沿って不透水性であることが好ましい。これは、第１の多区画折畳み式障壁構造体が第２の多区画折畳み式障壁構造体に締結される点が不透水性であることを意味する。前段で検討されている線形実施形態では、この側面は長い側面の一方であることが好ましい。不透水性側面に対する多区画折畳み式障壁構造体の反対側側面は、不透水性であることが好ましい。これは、洪水が障壁により阻止されること、しかし個々の区画内に必ず漏れるいずれの水も次いで逃げることができることを意味する。
【００５６】
さらなる実施形態では、不透水性側面は反対側側面とは異なって着色されている。これにより、障壁が向くべき方向の容易な確認が可能になり、かつ複数の障壁構造体を含む障壁内の多区画折畳み式障壁構造体の１つが逆に配置されたことが明確になる。さらにまたはあるいは、第１の多区画折畳み式障壁構造体を第２の多区画折畳み式障壁構造体に締結する締結手段は、誤った構造で２つの多区画折畳み式障壁構造体を取り付けることが不可能であるように配置されていてもよい。
【００５７】
第１の解除不可能な締結手段は、ねじ、釘、クランプ等を含んでいてもよい。あるいは、第１の解除不可能な締結手段は、多区画折畳み式障壁構造体の側面に沿って延在している不透水性材料を含んでいてもよく、該不透水性材料は、ステッチ、ステープル等により、個々の区画の少なくともいくつかに接続されていてもよい。この側面は、多区画折畳み式障壁構造体の外面であってもよく、また、別の個々の区画に隣接した個々の区画の側面に対して垂直な側面であってもよい。前段で検討されている線形実施形態では、この側面は長い側面の一方であることが好ましい。一実施形態では、材料の第２の長さが、不透水性材料が沿って延在している側面の反対側側面に沿って延在している。この第２の材料は不透水性であってもよい。不透水性材料は、障壁内の個々の区画の全てを接続するのに使用されてもよい。不透水性材料は、障壁内の１つ１つの個々の区画の側面に沿って延在していることが好ましい。
【００５８】
不透水性材料は、第１の多区画折畳み式障壁構造体を第２の多区画折畳み式障壁構造体に締結する締結手段をそれが覆うことができるように、多区画折畳み式障壁構造体の側面を越えて延在していてもよい。一実施形態では、該材料は、第１の多区画折畳み式障壁構造体を第２の多区画折畳み式障壁構造体に取り付ける締結手段を含む。該材料はそのまたは各多区画折畳み式障壁構造体の真下に延在していてもよいことが好ましい。これにより、水に起因する地面の経路の形成が減少し、それにより障壁下の洪水の通過が減少することにより、障壁を通り抜ける漏れが減少する。したがって、障壁の真下に延在する、多区画折畳み式障壁構造体の不透水性側面上に、材料の分離した部分を含むことが好ましい可能性がある。
【００５９】
第１の多区画折畳み式障壁構造体を第２の多区画折畳み式障壁構造体に締結する締結手段は、ねじ、釘、クランプ等を含んでいてもよい。やはりまたは代替として、第１の多区画折畳み式障壁構造体を第２の多区画折畳み式障壁構造体に締結する締結手段は、前記取外し後に該手段が再締結され得るように、該手段を破壊することなく取り外されることが可能である手段を含む。一実施形態では、第１の多区画折畳み式障壁構造体を第２の多区画折畳み式障壁構造体に締結する締結手段は、ジッパ、バックル、またはＶｅｌｃｒｏ（登録商標）もしくはアイレットおよびケーブルタイなどの他の装置の１つまたは複数であってもよい。第１の多区画折畳み式障壁構造体を第２の多区画折畳み式障壁構造体に締結する締結手段は不透水性であってもよい。複数のバックルが使用されてもよく、２つまたは３つのバックルが使用されることが好ましい。そのような締結手段は一般に高価であるので、これらの締結手段を多区画折畳み式障壁構造体毎に１回組み込むことにより、各個々の区画間に締結手段が含まれている障壁と比較してコストが低減される。締結手段は、不透水性であることが好ましくかつ障壁を通り抜ける漏れをさらに減少させるように作用する材料の部分により覆われていることが好ましい。材料の部分は、前段で検討されている通り、不透水性材料を含んでいてもいなくてもよい。同じまたは異なる締結手段が、締結手段が存在する各点で使用されてもよい。
【００６０】
バックルおよびジッパの両方が使用されることが好ましい。バックルは２つの多区画折畳み式障壁構造体の各端部に取り付けられてもよく、２つの障壁を保持する応力の大部分を引き受けてもよく、それによりジッパを閉じるのがより容易になると考えられる。ジッパは、バックルを覆う材料の部分に取り付けられてもよく、向上した不透水性およびさらなる締結手段をもたらす。材料の部分は、多区画折畳み式障壁構造体の一方または両方の不透水性材料を含んでいてもいなくてもよい。
【００６１】
不透水性材料上に締結手段が存在する場合、締結手段自体が不透水性シールを作り出すように作用することが好ましい。例えば、ＭａｘｉＧｒｉｐ  ＭＸ  ２０などの不透水性ジッパが使用され得る。
【００６２】
第１の多区画折畳み式障壁構造体を第２の多区画折畳み式障壁構造体に締結する締結手段は、多区画折畳み式障壁構造体の一方の側面上にのみ設けられていてもよい。あるいは、第１の多区画折畳み式障壁構造体を第２の多区画折畳み式障壁構造体に締結する締結手段は、多区画折畳み式障壁構造体の両側面上に設けられている。前段で検討されている線形実施形態では、不透水性材料は長い側面の一方または両方に沿って延在していてもよい。第１の多区画折畳み式障壁構造体を第２の多区画折畳み式障壁構造体に締結する締結手段は、短い側面の一方または両方に、または短い側面の一方または両方に近接した長い側面上に存在していてもよい。さらにまたはあるいは、第１の多区画折畳み式障壁構造体を第２の多区画折畳み式障壁構造体に締結する締結手段は、長い側面の一方または両方に、または長い側面の一方または両方に近接した短い側面上に、存在していてもよい。
【００６３】
さらに、また、そのまたは各多区画折畳み式障壁構造体内の隣接した個々の区画間に、前述したような締結手段（解除可能なまたはその反対の）が存在していてもよい。これにより、障壁に強度および安定性の増大がもたらされる可能性があり、また、そのような締結手段は、それらが充填される前にかつ／または（解除可能な締結の場合に）洪水防止障壁を分解する場合に、個々の区画を多区画折畳み式障壁構造体から別々に除去するのをより容易にすると同時に、区画をまとめるのに使用されてもよい。例えば、本発明のいくつかの実施形態では、バックルまたはジッパなどの解除可能な締結手段が、そのまたは各多区画折畳み式障壁構造体内の個々の区画間に設けられていてもよい。そのような締結手段は、不透水性材料の連続シートと障壁の反対側に区画上に設けられていてもよいことが好都合である。
【００６４】
漏れをさらに減少させるために、本発明の洪水防止障壁は、多区画折畳み式障壁構造体の少なくとも一方の側面の最上部から底部までの距離の少なくとも一部に延在している圧縮性部材をさらに含んでいてもよい。さらにまたは代替として、洪水防止障壁は、多区画折畳み式障壁構造体の少なくとも一方の側面の基部に沿った距離の少なくとも一部に延在している圧縮性部材を含んでいてもよい。前段で検討されている線形実施形態では、圧縮性部材は、多区画折畳み式障壁構造体の短い側面の一方または両方にあることが好ましい。
【００６５】
前記圧縮性部材は発泡体を含んでいてもよく、中空発泡体チューブをさらに含んでいてもよい。圧縮性部材は弾性的に圧縮性であることが好ましい。さらなる実施形態では、第１の多区画折畳み式障壁構造体を第２の多区画折畳み式障壁構造体に締結する締結手段により２つが取り付けられている場合、多区画折畳み式障壁構造体の一方の側面に沿った距離の少なくとも一部に延在している圧縮性部材は、第２の多区画折畳み式障壁構造体の隣接した側面に沿った対応する距離の少なくとも一部に延在している圧縮性部材からずらされている。
【００６６】
圧縮性部材が配置されている個々の区画が充填材で満たされると、圧縮性部材は、（別の多区画折畳み式障壁構造体であってもよい）多区画折畳み式障壁構造体の側面に隣接した表面に当接して圧縮されることが好ましい。圧縮性部材が不透水性シールを形成するので、これは、漏れをさらに減少させるように作用する。漏れが約１０％低減されることが好ましい。
【００６７】
本発明による洪水防止障壁は任意の数の多区画折畳み式障壁構造体を含んでいてもよい。３つ以上の多区画折畳み式障壁構造体が存在することが好ましい。これにより、配備現場の要件に応じて調節可能な長さの障壁がもたらされる。
【００６８】
また、本発明による洪水防止障壁を配備する方法が検討されており、折り畳まれた多区画折畳み式障壁構造体を配備する現地に運搬するステップと、多区画折畳み式障壁構造体を広げるステップと、各個々の区画を充填材で満たすステップであり、その前または後に、多区画折畳み式障壁構造体が、第１の多区画折畳み式障壁構造体を第２の多区画折畳み式障壁構造体に締結する締結手段により、１つまたは複数の個々の区画の別のグループに取り付けられる、満たすステップとを含む。ある実施形態では、洪水防止障壁の端部にある個々の区画が充填材で満たされ、多区画折畳み式障壁構造体を広げ、立てるために、その後、洪水防止障壁の反対側端部に張力がかけられる。あるいは、多区画折畳み式障壁構造体は配備現場に設けられ、立てられ、また随意に充填される。
【００６９】
本発明の洪水防止障壁が除去された場合、多区画折畳み式障壁構造体を分離するために、第１の多区画折畳み式障壁構造体を第２の多区画折畳み式障壁構造体に締結する締結手段は解除されてもよい。ある実施形態では、不透水性材料は、個々の区画を分離するために破壊される。各個々の区画は、次いで除去され、現場から別々に撤去されてもよい。各個々の区画内の充填材は、現場で解放されてもよく、または個々の区画が現場から撤去されたら解放されてもよい。
【００７０】
また、洪水などの自然の力に対抗する障壁としての、本発明による洪水防止障壁の使用が検討されている。
【００７１】
本発明の別の態様が、軍または民間の防備、人体保護、または洪水防止もしくは環境防衛ための、前段で検討されている折畳み式障壁構造体の使用を提供する。環境防衛は、障壁が環境の崩壊を防止するいかなる使用も包含することが意図されている。
【００７２】
本発明の上記実施形態のいずれかが、区画の１つまたは複数の最上部を覆って少なくとも部分的に延在している蓋部をさらに含んでいてもよい。この蓋部は、例えば水または風により、充填材が区画から偶発的に除去されないようにする。充填材の除去は、障壁構造体がより軽量となるので、より容易に変位させられることを意味すると考えられる。
【００７３】
蓋部は、区画の最上部の全体を覆って延在していることが好ましい。蓋部は、任意の適切な手段を使用して、区画に締結されてもよい。蓋部自体が任意の適切な材料を含んでいてもよい。一実施形態では、蓋部は、障壁の最上部を少なくとも部分的に覆って障壁の側面から延在している不透水性材料により、少なくとも部分的に形成されていてもよい。本実施形態では、不透水性材料の少なくとも一部が、それが沿って延在している１つまたは複数の区画より高くてもよく、その結果、１つまたは複数の区画の最上部を覆って伸びることができ、それにより蓋部を作り出すことができる。
【００７４】
また、本発明の上記実施形態のいずれかが、暗闇の中での障壁の可視性を高める反射材料を含んでいてもよい。この反射材料は、不透水性材料の反対側の障壁の後部上にあることが好ましい。反射材料は、持上げ手段、蓋部、または個々の区画自体の上などの任意の適切な位置にあってもよい。
【００７５】
本発明の１つまたは複数の実施形態が、単に例として、添付図面を参照して、以下にさらに記載されている。
【図面の簡単な説明】
【００７６】
【図１】多区画折畳み式障壁構造体の上面図である。
【図２】第２の多区画折畳み式障壁構造体に隣接した、図１に示されているような多区画折畳み式障壁構造体の正面図である。
【図３】第２の多区画折畳み式障壁構造体に隣接した、図１に示されているような多区画折畳み式障壁構造体の背面図である。
【図４】別の多区画折畳み式障壁構造体に隣接したかつ圧縮性部材をさらに含む、多区画折畳み式障壁構造体の上面図である。
【図５】別の多区画折畳み式障壁構造体に隣接したかつ圧縮性部材をさらに含む、多区画折畳み式障壁構造体の側面図である。
【図６】洪水に対抗して配備された場合の、本発明の洪水障壁の図である。
【図７】硬化手段をさらに含む、図１に示されている多区画折畳み式障壁構造体の図である。
【図８】隣接した個々の区画間に充填材が落下しないようにする手段をさらに含む、図２に示されている多区画折畳み式障壁構造体の正面図である。
【図９】本発明によるコラプシブルバッグの斜視図である。
【図１０】コラプシブルバッグを別のコラプシブルバッグに接続する締結手段を示す、コラプシブルバッグの側面図である。
【図１１】端部バッグにある解除可能な締結手段を用いて複数の接続されたかまたは取り付けられたコラプシブルバッグを含むコラプシブル障壁の図である。
【図１２】その一側面に沿って不透水性材料を含むコラプシブル障壁の図である。
【図１３】不透水性材料により２つのコラプシブル障壁を接続するかまたは取り付ける解除可能な締結手段の図である。
【図１４】個々の区画の最上部を覆って延在している蓋部を含む、本発明のさらなる実施形態の後面図である。
【図１５】図１４に示されている個々の区画の１つの側面図である。
【発明を実施するための形態】
【００７７】
図面をより詳細に見ると、図１は、不透水性材料２の連続長により接続されている多区画折畳み式障壁構造体の上面図を示す。本実施形態では、不透水性材料２は、該材料を個々の区画１に取り付けるステッチ４を含む。締結手段３が、バックルの形で、多区画折畳み式障壁構造体の端部区画上に存在している。さらなる締結手段が、不透水性材料２の延長部である材料６の部分の端部上にジッパ５として示されている。また、持上げ手段７が、個々の区画１の各角部にハンドルの形で示されている。この図には、硬化手段は示されていない。
【００７８】
図２は、第２の多区画折畳み式障壁構造体に隣接した、図１に示されているような多区画折畳み式障壁構造体の正面図を示す。各障壁内の個々の区画１は不透水性材料２により接続されている。（この場合には３つのバックルを含む）締結手段３は、各多区画折畳み式障壁構造体の両端部区画上に存在している。材料６の部分は締結手段３を覆って延在し、ジッパ５を使用して隣接した多区画折畳み式障壁構造体に取り付けられ、それにより、多区画折畳み式障壁構造体間での洪水の漏れを減少させる。
【００７９】
図３は、第２の多区画折畳み式障壁構造体に隣接した、図１に示されているような多区画折畳み式障壁構造体の背面図を示す。各障壁内の個々の区画１は不透水性材料２により接続されている。（この場合は３つのバックルを含む）締結手段３は各多区画折畳み式障壁構造体の両端部区画上に存在している。
【００８０】
図４は、別の多区画折畳み式障壁構造体に隣接した、多区画折畳み式障壁構造体の上面図を示し、その各々は不透水性材料２により接続されている。個々の区画１はどちらも、締結手段３を含む。各個々の区画１は、個々の区画１の側面の最上部から底部までの距離に延在している圧縮性部材９をさらに含む。本実施形態では、２つの圧縮性部材９は互いからずらされている。個々の区画１の一方は、個々の区画１の基部に沿った距離の一部に延在している圧縮性部材８をさらに含む。
【００８１】
図５は、図４に示されているような多区画折畳み式障壁構造体の側面図を示す。やはり、この図は別の多区画折畳み式障壁構造体に隣接した多区画折畳み式障壁構造体を示し、その各々は不透水性材料２により接続されている。個々の区画１はどちらも、締結手段３を含む。各個々の区画１は、個々の区画１の側面の最上部から底部までの距離に延在している圧縮性部材９をさらに含む。個々の区画１の一方は、個々の区画１の基部に沿った距離の一部に延在している圧縮性部材８をさらに含む。
【００８２】
図６は、洪水１１に対抗して配備された場合の、本発明の洪水障壁を示す。個々の区画１は地面１０上に配置されており、不透水性材料２は洪水１１に面している。材料１６の対向長は、不透水性材料の反対側側面に沿って延びており、不透水性であることが好ましい。本実施形態では、不透水性材料２の部分が個々の区画１の真下に延在しており、漏れをさらに減少させる。２つの圧縮性部材８、９もまた示されている。
【００８３】
図７は、硬化手段１２、１３を含む、図１に示されている多区画折畳み式障壁構造体を示す。硬化手段１３は、別の個々の区画に隣接した個々の区画の側壁に沿って延在しており、側壁の内面に当接して配置されている単一パネルを含む。硬化手段１２は、別の個々の区画に隣接した側壁に垂直な側壁に沿って延在している。２つの硬化手段１２が互いに隣接して配置されており、側壁の内面の全長に沿って延在している。ヒンジ部材を受容するための手段が、２つの硬化手段の中間に、側壁の材料により設けられている。これにより、垂直な側壁が中心領域内で折り畳まることが可能になり、多区画折畳み式障壁構造体が潰れることが可能になる。
【００８４】
図８は、隣接した個々の区画間に充填材が落下しないようにする手段をさらに含む、図２に示されている多区画折畳み式障壁構造体の正面図を示す。手段１４は、隣接した個々の区画１間に延在しておりかつ隣接した側壁の各々の内面に締結されている材料を含む。手段１４は、ステッチまたはステープルを含んでいてもよい締結手段１５により締結されている。
【００８５】
図９は、その前面において前壁２２により、その後面において後壁２３により、その側面において各側壁２４、２５により、かつその基部においてベース壁（図示せず）により境界が定められている、開いた充填可能な区画を有する立方体状のコラプシブルバッグ２１の斜視図を示す。ポケット（図示せず）が、前壁２２、後壁２３、側壁２４に形成されており、各壁を覆って完全に延在している。２つの別個のポケット部は、壁の中心を垂直に下るステッチング２６、２７を用いて前壁２２および後壁２３に形成されているポケットに作り出される。影を付けられた領域により示されている通り、硬化部材（図示せず）が互いに斜向かいにあるように、それらが側壁２４にかつ前壁２２および後壁２３の２つのポケット部の一方に形成されているポケットの内部に位置決めされている。硬化部材はポケットと補完的形状である。４つのハンドル２８が、コラプシブルバッグ２１の最上縁部上の４つの角部の各々にすなわち区画の開口部に配置されており、コラプシブルバッグの運搬を補助する。コラプシブルバッグの配向を区別するために、印２９が前壁２２に加えられる。コラプシブルバッグ２１は自立性である。
【００８６】
図１０は、側壁２４の最上縁部を貫通するステープル３０を有する立方体状のコラプシブルバッグ２１の側面図を示す。ステープル３０は、コラプシブルバッグ２１を隣接したコラプシブルバッグ（図示せず）の各側壁に接続するのに使用される。
【００８７】
図１１は、２つのコラプシブル端部バッグ３２、３３により境界が定められている、複数の接続されたかまたは取り付けられたコラプシブルバッグ２１を含むコラプシブル障壁３１を示す。コラプシブルバッグは、１つのバッグの深さの、個々のコラプシブルバッグの列を形成するために、並べられている。コラプシブルバッグは、図１０に示されようにているステープルを使用して接続されているかまたは取り付けられている。コラプシブル障壁３１は、どちらかの端部または両端部でそれらに隣接した第２のコラプシブル障壁（図示せず）に接続可能または取付け可能であり、延長された障壁をもたらす。コラプシブル障壁３１は、端部バッグ３２、３３それぞれに設けられているアイレット３４、３５の形の解除可能な締結手段およびケーブルタイ（図示せず）により第２のコラプシブル障壁に接続可能または取付け可能である。端部バッグ３３の一方には、その最上縁部から延在している材料３６のフラップが設けられている。材料３６のフラップは、端部バッグ３３と第２のコラプシブル障壁の端部バッグとの間に延在して、充填材が隣接したコラプシブル障壁間に落下しないようにするように構成されている。コラプシブル障壁３１は自立性である。
【００８８】
図１２は、その一側面に沿って連続不透水性材料３７をさらに含むコラプシブル障壁３１を示す。連続不透水性材料３７は、コラプシブルバッグ２１、３２、３３の最上縁部を横断するステッチングを用いてコラプシブル障壁３１に締結されている。コラプシブル障壁３１の一方の端部で、連続不透水性材料３７は、１つのコラプシブルバッグの幅に等しい量で、端部バッグ３２越えて延在している。コラプシブル障壁３１の他方の端部で、連続不透水性材料３７は端部バッグ３３に沿って終端する。加えて、連続不透水性材料はコラプシブル障壁３１の基部の下に延在している。これにより、連続不透水性材料３７がコラプシブル障壁３１の真下に折り畳まれかつステープル（図示せず）を使用してそこに締結されることが可能になる。
【００８９】
図１３は、図１２に示されているようなコラプシブル障壁３１の端部と、コラプシブル障壁３１と同じ全体的構造を有する第２のコラプシブル障壁３９の端部とを示す。各端部バッグ３３、４０のアイレットの形の解除可能な締結手段に加えて、不透水性材料３７、４１は、コラプシブル障壁３１の一方の端部を第２のコラプシブル障壁３９の対向端部に接続するかまたは取り付けるのに使用され得る。
【００９０】
Ｖｅｌｃｒｏ（登録商標）ストリップ３８が連続不透水性材料３７の外面に取り付けられている。補完的Ｖｅｌｃｒｏ（登録商標）ストリップ４２が連続不透水性材料４１の内面に取り付けられている。各端部バッグ３３、４０が互いに隣接するようにコラプシブル障壁３１と第２のコラプシブル障壁３９とが共にくっ付けられた場合、補完的Ｖｅｌｃｒｏ（登録商標）ストリップ３８、４２が２つのコラプシブル障壁同士を接続するかまたは取り付ける。
【００９１】
図１４は、個々の区画５１の各々の最上部を覆って延在している蓋部５２を含む、本発明のさらなる態様による複数の個々の区画５１の後面図を示す。蓋部５２は、最上部５２ａと、個々の区画５１の前面に沿って延在している前面部５２ｂとを含む。前面部５２ｂは、個々の区画５１の前面に沿って延在しているポリエチレンを含む不透水性材料である。蓋部５２は、次いで、個々の区画５１の最上部を覆って伸び、最上部５２ａを形成し、その結果、前面部５２ｂと最上部５２ａとは連続している。充填材が個々の区画５１から偶発的に除去されないようにするのは、この最上部５２ａである。前面部５２ｂから最も遠く離れた最上部５２ａの縁部は、次いで、Ｖｅｌｃｒｏにより個々の区画５１に取り付けられる。
【００９２】
図１５は、図１４に示されている複数の個々の区画５１の１つの側面図を示す。蓋部５２の前面部５２ｂは、個々の区画５１の高さに沿ってかつその真下に延在して示されている。これにより、蓋材料をしっかり固定する手段がもたらされ、かつ個々の区画５１に防水性前面がもたらされる。また、前面部５２ｂは、個々の区画５１の最上部を覆って延在して、蓋部５２の最上部５２ａを形成する。また、個々の区画５１の両側にハンドルの形の持上げ手段５７が示されている。
【００９３】
また、図１５は個々の区画５１の最上角部の拡大図を示し、そこでは、蓋部５２の材料が個々の区画５１の最上部を覆って延在しており、ステープル５３を使用してその内側にステープルで留められている。
【図１】
2016529427.tif 000003
【図２】
2016529427.tif 000004
【図３】
2016529427.tif 000005
【図４】
2016529427.tif 000006
【図５】
2016529427.tif 000007
【図６】
2016529427.tif 000008
【図７】
2016529427.tif 000009
【図８】
2016529427.tif 000010
【図９】
2016529427.tif 000011
【図１０】
2016529427.tif 000012
【図１１】
2016529427.tif 000013
【図１２】
2016529427.tif 000014
【図１３】
2016529427.tif 000015
【図１４】
2016529427.tif 000016
【図１５】
2016529427.tif 000017
【国際調査報告】
2016529427.tif 000018
2016529427.tif 000019
2016529427.tif 000020